(57)【特許請求の範囲】
【請求項１】
地面覆い構造体、拘束構造体及び補強構造体を形成するための保持壁を形成するための素子において、
該素子は、少なくとも中間部分（１０１）と２つの端部分（２０１，３０１）とを含む金網の連続パネルであり、前記２つの端部分（２０１，３０１）の一方（３０１）がベースを画定し、他方（２０１）が頂部を画定し、前記中間部分（１０１）は保持壁の目に見える前方壁を形成し、金属バー（２，３）によって形成された曲げ線によって前記２つの端部分（２０１，３０１）から分けられて実質的にチャンネル形の拘束要素を形成する素子であって、
該素子（１）が、前記中間部分（１０１）に関節結合され前記ベースを画定する端部分（３０１）の上に位置し、前記中間部分（１０１）を保持する少なくとも一つの支持兼位置決めブラケット（５）を有し、
該少なくとも一つの支持兼位置決めブラケット（５）が前記中間部分（１０１）を前記ベースを画定する端部分（３０１）に対してほぼ鉛直又は傾斜した位置に支持および位置決めし、
前記少なくとも１つの支持兼位置決めブラケット（５）は格納位置と作動位置との間を回動可能であり、前記格納位置では、前記ブラケットは前記中間部分に対して横たえられ、そのため該中間部分とほぼ平行に延在し、前記作動位置では、前記ブラケットは前記中間部分に対してほぼ直角に配置されていることを特徴とする素子。
【請求項２】
請求項１に記載の素子において、前記中間部分（１０１）が前記金属バー（２，３）に平行に延在している複数の横方向バー（４）を有しており、該複数の横方向バー（４）が前記曲げ線とは異なる曲げ線を提供可能である、ことを特徴とする素子。
【請求項３】
請求項１に記載の素子において、前記少なくとも一つの支持兼位置決めブラケット（５）は三角形又は台形形状にされていることを特徴とする素子。
【請求項４】
請求項１に記載の素子において、前記少なくとも一つの支持兼位置決めブラケット（５）は交換可能又は曲げ線に従った高さに適応可能であることを特徴とする素子。
【請求項５】
請求項１に記載の素子において、前記少なくとも一つの支持兼位置決めブラケット（５）は前記素子（１）から除去されることが可能に形成されていることを特徴とする素子。
【請求項６】
請求項１に記載の素子において、前記中間部分（１０１）が二重撚り又は電気溶接された金網製の金網パネル（４０１）によってさらに補強されていることを特徴とする素子。
【請求項７】
請求項６に記載の素子において、該素子がより目の細かいジオシンセチック拘束層（６）を有し、該層は前記中間部分と前記金網パネル（４０１）との間に含まれていることを特徴とする素子。
【請求項８】
請求項７に記載の素子において、前記ジオシンセチック拘束層は、素子の使用状態に応じて、バイオマットの形の天然繊維によって形成された層、プラスチック材の補強網と組み合わされたバイオマットの形の天然繊維によって形成された層、プラスチック材のジオマットによって形成された層からなる群の中から選択されていることを特徴とする素子。
【発明の詳細な説明】
本発明は、地面覆い、拘束及び補強用構造体を形成するための、特に、保持壁を形成するための素子に係わり、該素子は、金網のパネルにより、好ましくは、二重の捻りを備えた金網のパネルにより、具体的には、亜鉛メッキされ、且つ、たぶんプラスチックコートされた二重の捻りを備える金網のパネルにより構成されており、該金網のパネルは連続しているとともに、少なくとも３つの部分に分割されており、それら少なくとも３つの部分は底部分と、前方拘束部分と、頂端覆い部分とを有しており、これら部分は、補強バーにより互いに境界が定められており、該補強バーは金網の網目に挿入されているとともに互いに対する３つの部分の曲げのための所定のラインに沿って延在しており、あるいは、該所定のラインを形成しており、それら３つの部分は、実質的に互いに平行に配置されたベース及び頂部用の２つの端部分と、実質的に垂直なあるいは傾斜された拘束壁用の２つの端部分間の中間部分とを有する実質的にチャンネル形の拘束素子を形成するような態様で互いに対して曲げられており、拘束素子は土、石あるいは土と石の組み合わせ体で充填されており、各々が連続した素子により形成されているいくつかのチャンネル形拘束素子は互いに重ねられて壁等を形成することができるようになっている。
本発明の目的は、上述した形式の完全に予め作られた素子を案出して、廉価な、そして、比較的単純な手段により、壁等のごとき構造体を形成することが可能であり、該構造体はより強く、また、より魅力のある外観のものであり、特に、使用の場所で素子の様々な構成要素を組み立てる作業を必要とすることなく、所定の傾きを有する表面を備えた壁を形成することが可能である。
本発明は、最初に記載された形式の素子により上述した目的を達成し、垂直のあるいは傾斜された目に見える拘束壁を形成する中間部分は少なくとも１つの、そして、好ましくは、いくつかの更なる補強バーを有しており、該更なる補強バーは金網の網目に挿入されているとともに互いに平行に、また、中間部分と２つの対向する部分との間の境界を定めるバーに平行に延在しており、該２つの対向する部分はチャンネル形拘束あるいは補強構造体の頂部とベースとを形成するようになっている。
改良によれば、網素子により形成されたチャンネル形拘束構造体の目に見える部分が完全に垂直な方向に対する所定の傾きを有している場合、各網素子を支持しそして各網素子を正しい傾けられた位置に位置決めするために、少なくとも１つの、好ましくは、２つの、そして、たぶん、いくつかのブラケットでさえも各網素子に関連していてもよく、各ブラケットは少なくとも第１のアームと少なくとも第２のアームとを有しており、該第１のアームは補強バーであり、且つ、中間部分を支持していて拘束素子の目に見える前方壁を形成しており、また、前記第１のアームは対応する傾きを有しており、前記第２のアームはベースを構成する部分に対して平行をなしている。
好ましくは、支持兼位置決めブラケットはチャンネル形素子の前方部分に関節式に連結されていて、それら支持兼位置決めブラケットが関節式に連結され、従って、それに対して平行に延在する部分にそれら支持兼位置決めブラケットが積まれる格納位置から、それら支持兼位置決めブラケットが関節式に連結されている部分に対して実質的に持ち上げられ且つ垂直の位置に配備されている作動位置に回動可能なようになっている。
ブラケットは、直角三角形あるいは直角台形の形を備えていることが有利である。
本発明の更なる特徴は、素子が、金網パネルに加えて、いわゆるジオシンセチック（geosynthetic）微細物保持器を有しており、この層は、拘束素子の前方を形成する金網パネル内側に重ねられているという事実から成っている。
ジオシンセチックの２つの異なるバージョンは、素子の用途に従って備えられていてもよい。いわゆる土バージョンの場合、好ましくは、ジオシンセチック層は天然繊維等のバイオマット材料により構成されている。天然繊維の層は、プラスチック材料の網により有利に補強されていてもよい。
いわゆる水式においては、ジオシンセチック層はプラスチック材料のジオマット材料により形成されている。
チャンネル形素子の前方部分も（二重に捻られたあるいは電気溶接形式の）更なる網パネルにより補強されており、該更なる網パネルは、生産段階で、ステープルによりチャンネル形素子に接続されており、かくて、パネルとチャンネル形素子との間のジオシンセチック層を包囲している。
上述した手段は、少なくとも、何らかの築壁の目に見える前方部分上の、網素子により形成された拘束素子を強化する。このことは、補強バーにより、また、位置決め且つ支持ブラケットにより、それら双方により、並びに、補強パネルにより確実にされている。ブラケットにより、補強素子の目に見える前方壁を形成する部分が所定の態様で正確に位置決めされるのが可能となっていて所定の且つ正確な傾きを備えた保持壁を作り出している。
たぶん、更なる補強バーを、中間の所定の曲げヒンジとして用いることができ、かくて、様々な高さの目視可能の前方壁が要求に従って形成されるのを可能にしている。この場合、目に見える前方壁を形成している部分を支持し且つ位置決めするためのブラケットも交換可能であってもよく、あるいは、単に、所定の曲げヒンジ等のまわりの高さに曲げることができる。
様々な形式のジオシンセチック材料により、拘束素子が本発明に従った素子を備える構造体の使用の様々な条件に適合されるのが可能となっており、また、構造体の美的な外観及び拘束特性、並びに、それらの耐久性が改良されるのが可能となっている。
目に見える前方壁を構成する部分を位置決めするとともに支持するためのブラケットが格納位置に、あるいは、作動位置に交互に回動可能であるよう形成されている場合、本発明による素子はそれ自体に、少なくとも部分的に折り重ねることができ、また、該素子は、他の素子と一緒に、例えば、互いに重ねられ、熱収縮可能なフィルム等により縛られ且つ一体に保持された素子のパックの形で、他の素子と一緒に一体にパックされることができる。
本発明の特徴は構造的に複雑ではなく、かなりのコスト低減を伴い、また、積む場合の複雑さ及び積む時間の長期化を阻止する。
本発明の更なる特徴及び改良は従属請求項の主題である。本発明の特徴及びそれの結果として得られる利点は、添付図面に示されている本発明の非制限的な実施例の以下の記載から明らかとなろう。その図面において、
図１は、曲げられて拘束素子を形成中の部分的に断面された本発明による素子の概略斜視図である。
図２は、輸送のために折り畳まれた位置にある図１の素子を示している。
図３から図６は、傾けられた面を備えている壁を形成するために、本発明による素子で形成された拘束素子の形成及び充填の様々な段階を示している。
図７は、前の図面に従った素子により互いに重ねて形成されたいくつかの拘束素子を積むことにより作られる傾けられた前面を備えた壁を断面で示している。
図面を参照して、特に、保持壁（図７）を形成するための地盤覆い、拘束及び補強用構造体を形成するための素子１は、いかなる水平継手もなく、連続した金網パネルにより形成されている。好ましくは、金網は六角網目を備えた二重捻り形式のものである。有利なことには、該金網は亜鉛メッキされ、及び／又は、プラスチックコートされている。
金網パネルは３つの部分に横方向に分割されており、それら３つの部分は中間部分１０１と２つの端部分２０１、３０１とを有しており、該中間部分１０１は拘束素子即ち拘束構造体の目に見える前方壁を形成するようになっており、また、該２つの端部分２０１、３０１はそれぞれベース及び頂部を形成するようになっており、該頂部は、積まれた状態では、該ベースからある距離のところを延在しており、また、該ベースに対して実質的に平行である。
端部分２０１、３０１から中間部分１０１を分割している曲げ線は金属バー２、３によって形成されており、該金属バー２、３は網を補強する機能を有しているとともに所定の曲げ線を形成している。
中間部分１０１は横方向バー４を更に有しており、該横方向バー４は境界を定めるバー２、３に平行に配備され、好ましくは、均一に離隔されている。中間バーは、好ましくは、網の１つの六角網目に対応する距離に離隔されており、並びに、拘束素子の目に見える前方壁を構成する中間部分１０１を補強しているとともに所定の曲げ線を更に形成しており、所定の曲げ線は異なる高さの目に見える前方壁が要求に応じて形成されるのを可能にしている。
更に、支持兼位置決めブラケット５は中間部分１０１に関節的に連結され、あるいは、金属ステープル、リングあるいはクリップ１０５により中間部分１０１に関節的に連結されることができる。これらのブラケットは三角形をしているとともに、それらブラケットが中間部分の内側に接して折り畳まれる休止即ち所蔵位置から、それらブラケットが中間部分１０１に対して実質的に垂直の位置へ回動される作動位置へ回動可能である。
かくして、２つのブラケット５は、中間部分１０１が位置決めされることを可能にし、同時に、網パネルが曲げられて拘束素子を形成する際、正しい作動位置に支持されることを可能にしている。他方、格納位置では、２つのブラケット５が中間部分１０１に重畳されていて、ベース即ち全体として最小高さの状態を取る素子を形成している部分３０１に該中間部分１０１が折り畳まれるのを可能にしている。
当然、ブラケット５は、中間バー４に沿って様々な高さで曲げに適合するように交換可能であってもよく、あるいは、例えば、適合可能な素子として形成されていて、それらブラケット５は、中間部分１０１のように、所定のヒンジ即ち曲げ線のまわりで曲げることにより、高さを低減することができるようになっている。
別の特徴によれば、かなり小さな網目寸法を備えている拘束材料の層は素子１内側の網に重畳されている。この拘束材料の層は、特に、混合された石及び土充填物と一緒に、あるいは、土のみと一緒に用いるのに適している。６で示された、また、そうでなければジオシンセチック層として知られている拘束層を、使用条件に従って様々な材料で形成してもよい。
水と接触しないで使用する場合、また、わずかな腐食性洗い落とし効果しかない状態では、微細網目の拘束層６として、織られた、あるいは、ぎっしりと詰められた天然繊維の層を、たぶん、プラスチック材料の網により構成された支持層と組み合わせて用いることは可能である。
水の元で使用する場合、あるいは、強力な洗い落とし効果を受ける領域においては、微細網目拘束層６は、プラスチック材料、好ましくは、ポリプロピレンのいわゆるジオマット材料により構成されている。
目に見える前方壁を更に補強するために、また、ある種のモジュール性及び適合性により適応作業を単純化するために、有利なことには、ブラケットホルダーパネル４０１にはブラケット５が装架されており、該ブラケットホルダーパネル４０１も、例えば、金網で作られているとともに該ブラケットホルダーパネル４０１は、前方壁を形成する中間部分１０１に重畳された所定の位置に固定されており、また、異なる寸法のブラケットホルダーパネルに従って曲げバー３、４は選定されている。
微細網目の拘束層６は金網パネル４０１により制限されているとともに金属クリップ等によりチャンネル形素子に固定されている。
当然、ブラケットは補強用パネルに固定され、かくて、中間部分１０１に固定されており、微細網目補強層６は、ブラケットとパネルとの間に置かれている。
図２から図６は本発明による素子が置かれる容易さを示している。それら素子は所定の位置に置かれ、また、中間部分１０１により、また、チャンネル形拘束素子の頂部を形成する端部分２０１により構成されたユニットは持ち上げられ、２つの支持兼位置決め用ブラケット５は作動位置に動かされる。かくして形成されたＬ字形素子は、次いで、土、石あるいは土及び石の混合体（７，７’）で所定のレベルまで充填される。次いで、頂端部分２０１は充填物７の頂部に対して曲げられる。上述したのと同じ態様で積まれた更なる素子の底端部分３０１を、ステープルを備えた適宜の定着具によりこの頂部分に支持し且つ固定してもよい。図７に示されたもののごとき壁は、前述した通り、互いに積まれたいくつかの素子により形成することができる。
この場合、適宜に曲げられ且つ充填されたいくつかの素子１は互いに積まれて傾けられた壁を形成する。支持兼位置決め用ブラケット５により、均一なそして正確な傾きを備えた前方壁が作られるのが可能となっている。
当然、壁の異なるレベルあるいは域に異なるスロープを必要とする場合、異なる形状の支持兼位置決め用ブラケット５を有する素子を用いて中間部分１０１に異なる傾斜を与えるようにしてもよい。
再び、使用形式あるいは目的に従って、チャンネル形拘束素子を形成するよう曲げられた素子１により形成されている空間全体を、単に、土で充填してもよいし、あるいは、目に見える前方壁に直接隣接したヘッド域の充填物を、土を備えている破断された石あるいは破断された石の境界により構成してもよく、また、有利なことには、充填物の断面を、二等辺の不平行四辺形のように形状決めしてもよく、前方壁に対向する傾けられた部分は前方壁に対して対称をなして対向する傾斜を有している。
当然、本発明は今述べ且つ図示された実施例に限定されるものではなく、上述し且つ以下に請求されている保護範囲から逸脱することなく、本発明を幅広く、特に構造的に変更してもよい。
【図１】
0003830168.tif 000002
【図７】
0003830168.tif 000003
【図２】
0003830168.tif 000004
【図３】
0003830168.tif 000005
【図４】
0003830168.tif 000006
【図５】
0003830168.tif 000007
【図６】
0003830168.tif 000008